(57)【要約】      （修正有）【課題】書類を出し入れしやすい書類収納部付きクリップボードを提供する。【解決手段】書類を挟持するクリップと書類が載せられ書類に記入する際の下台となるボード１２と、ボードの裏側に設けられ、下辺及び１つの側辺がボードに接着され、上部に切り欠き部を備えたシート３１と、シートの下辺及び１つの側辺により形成された角部と対向する角部近傍に配設された磁気吸着部と、ボードに配設された磁気吸着部より大きな面積を持つ磁石４と、を備えたことを特徴とする。【選択図】図８
0003191399.tif 000002
【実用新案登録請求の範囲】
【請求項１】
書類を挟持するクリップと書類が載せられ書類に記入する際の下台となるボードと、
前記ボードの裏側に設けられ、下辺及び１つの側辺が前記ボードに接着され、上部に切り欠き部を備えたシートと、
前記シートの前記下辺及び前記１つの側辺により形成された角部と対向する角部近傍に配設された磁気吸着部と、
前記ボードに配設された前記磁気吸着部より大きな面積を持つ磁石と、を備えたことを特徴とする書類収納部付きクリップボード。
【請求項２】
前記シートの端縁に目盛りを設けたことを特徴とする請求項１に記載の書類収納部付きクリップボード。
【請求項３】
前記切り欠き部は、略長方形状に切り取った形状であることを特徴とする請求項１または請求項２に記載の書類収納部付きクリップボード。
【請求項４】
前記磁気吸着部が磁石であることを特徴とする請求項１から請求項３いずれか１つに記載の書類収納部付きクリップボード。
【考案の詳細な説明】
【技術分野】
【０００１】
本考案は、書類を挟むクリップが取り付けられたクリップボードの裏側に、書類を収納するファイルを装着した書類収納部付きクリップボードに関する。
【背景技術】
【０００２】
従来から特許文献１や特許文献２に開示の収納用ファイル付きバインダーが知られている。この収納用ファイル付きバインダーは、書類が載せられ、その書類に筆記で記入する際の下台となるバインダーボードと、書類を挟んで保持するクリップからなるバインダーボードと、書類を収納するフォルダファイルとを合体させた構造である。
【先行技術文献】
【特許文献】
【０００３】
【特許文献１】特開２０１１−２４５７６４号公報
【考案の概要】
【考案が解決しようとする課題】
【０００４】
しかしながら、上記従来の書類収納ファイル付きバインダーは、薄いシートでできた収納ファイルの上縁がボードにぴったり重なっており、書類の出し入れがしにくいという問題があった。
【０００５】
そこで、この考案の目的は、クリップボードの裏側に書類収納部を取り付けた書類収納部付きクリップボードにおいて、書類収納部の形状が工夫され、書類を出し入れしやすい書類収納部付きクリップボードを提供することにある。
【課題を解決するための手段】
【０００６】
この考案の書類収納部付きクリップボードは、書類を挟持するクリップと書類が載せられ書類に記入する際の下台となるボードと、前記ボードの裏側に設けられ、下辺及び１つの側辺が前記ボードに接着され、上部に切り欠き部を備えたシートと、前記シートの前記下辺及び前記１つの側辺により形成された角部と対向する角部近傍に配設された磁気吸着部と、前記ボードに配設された前記磁気吸着部より大きな面積を持つ磁石と、を備えたことを特徴とする。
【０００７】
この考案によれば、クリップボードの裏面に設けられた書類収納部に書類を収納することができ、また、書類収納部の開閉は磁石によって行えるため、書類の出し入れが片手で手軽に行える。また、書類収納部の上辺には切り欠き部があり、切り欠き部からは書類の上端が出ているので、書類収納部を閉じた状態でも書類を引き出すことができる。さらに、書類収納部を開く際は、切り欠き部に指をひっかけて開ければ良いので、片手で簡単に書類を出し入れすることができる。
【０００８】
また、この考案の書類収納部つきクリップボードは、前記シートの端縁に目盛りを設けたことを特徴とする。
【０００９】
この考案によれば、本考案の書類収納部つきクリップボードに設けられた目盛りを使って、様々なものの長さを計ることができる。収納された書類の大きさだけでなく、営業や測量で、屋外で使用していて、寸法を計測する必要が生じた場合に、手元に定規やメジャーがなくても手軽に計測ができる。
【００１０】
また、この考案の書類収納部つきクリップボードの前記切り欠き部は、略長方形状に切り取った形状であることを特徴とする。
【００１１】
この考案によれば、略長方形状に切り取った形状である切り欠き部に、指をひっかけやすく、書類収納部の開閉が容易である。また、切り欠き部から、収納された書類の上部が露出するので、書類に直接触れて、指で書類を引き出すことができるので、書類の出し入れが簡単である。切り欠き部が略長方形状であるため、書類を書類収納部に収納したまま、露出した書類部分に筆記具でメモその他を筆記することもできる。
【００１２】
また、この考案の書類収納部つきクリップボードの磁気吸着部は、磁石であることを特徴とする。
【００１３】
この考案によれば、書類収納部のほうにも磁石が取り付けられているため、ボードに配設された磁石に、強く吸着させることができる。
【図面の簡単な説明】
【００１４】
【図１】この考案の実施の形態１にかかる書類収納部付きクリップボードの正面図である。
【図２】図１に示した書類収納部付きクリップボードの背面図である。
【図３】図１に示した書類収納部付きクリップボードの左側面図ある。
【図４】図１に示した書類収納部付きクリップボードの右側面図である。
【図５】図１に示した書類収納部付きクリップボードの平面図である。
【図６】図１に示した書類収納部付きクリップボードの底面図である。
【図７】図１に示した書類収納部付きクリップボードの使用状態を示す参考図である。
【図８】図１に示した書類収納部付きクリップボードの使用状態を示す参考図である。
【図９】この考案の実施の形態２にかかる書類収納部つきクリップボードの正面図である。
【図１０】図９に示した書類収納部付きクリップボードの背面図である。
【図１１】図９に示した書類収納部付きクリップボードの使用状態を示す参考図である。
【図１２】この考案の実施の形態３にかかる書類収納部付きクリップボードの正面図である。
【図１３】図１２に示した書類収納部付きクリップボードの背面図である。
【図１４】図１２に示した書類収納部付きクリップボードの使用状態を示す参考図である。
【考案を実施するための形態】
【００１５】
（実施の形態１）
図１は、この考案の実施の形態１にかかる書類収納部付きクリップボード１００の正面図である。図２は、図１に示した書類収納部付きクリップボード１００の背面図であり、図３は、図１に示した書類収納部付きクリップボード１００の左側面図ある。図４は、図１に示した書類収納部付きクリップボード１００の右側面図であり、図５は、図１に示した書類収納部付きクリップボード１００の平面図である。図６は、図１に示した書類収納部付きクリップボード１００の底面図である。
【００１６】
図１に示すように、この書類収納部付きクリップボード１００の表面は、書類が載せられるボード１２と書類を挟んで挟持するクリップ１１を備えたクリップボードである。
【００１７】
図２に示すように、この書類収納部付きクリップボード１００の裏面は、書類収納部３が設けられている。書類収納部３は、略長方形状のシート３１と、磁気吸着部である円形鉄片３２ａからなり、シート３１の下辺及び下辺と隣り合う左右どちらか一方の辺は、ボート１に接着されており収納部下辺３６及び収納部綴側辺３５となっている。前記二辺とは別の二辺は、ボード１２には接着されておらず、収納部上辺３３，収納部開放側辺３４となっている。シート３１の上縁である収納部上辺３３は、略長方形状に切り欠きがあり、上辺切り欠き部３３ａが設けられている。円形鉄片３２ａの素材は、例えば鉄片、コバルト、ニッケル又はこれらの金属を含んだ素材であって磁石に吸着可能な磁性体からなる。
【００１８】
ボード１２の、シート３１に設けられた円形鉄片３２ａに対応する部分には、略円形の埋込み磁石４が埋め込まれている。埋込み磁石４は、ボード１２に埋め込むほか、ボード１２の表面又は裏面に接着剤その他で磁石を固定して設けても良い。本実施の形態１では、埋込み磁石４の形状は略円形となっているが、埋込み磁石４の形状は、円形に限定されることはなく、正方形や長方形、楕円その他でも良い。また、円形鉄片３２ａを円形の磁石にして、埋込み磁石４と吸着させても良い。さらに、円形鉄片３２ａを円形の磁石にして、埋込み磁石４を鉄片としても良い。
【００１９】
図３に示すように、ボード１２の裏面に設けられたシート３１は、薄いシート状であって、下縁は、ボード１２の下縁と接着され、上縁は、ボード１２の上縁よりも下にあり、ボード１２に接着されていない。また、図４に示すように、この書類収納部付きクリップボード１００は、左右対称となっている。
【００２０】
図５に示すように、クリップ１１は、ボード１の裏面から留め具１３によって留められている。また、図６に示すように、底面視、書類収納部付きクリップボード１００は、ボード１２の上にシート３１が、ぴったりと重ねられている。見た目も、スマートであり、書類収納部３に書類を収納してもかさばらない。
【００２１】
次に、図７及び図８を示しながら、本考案にかかる書類収納部付きクリップボード１００の使用方法について説明する。図７及び図８は、図１に示した書類収納部付きクリップボード１００の使用状態を示す参考図である。
【００２２】
図７に示すように、本実施の形態１の書類収納部付きクリップボード１００は、未使用時、ボード１２の上に、シート３１が重なっている。ボード１２に埋め込まれた埋込み磁石４の上には、シート３１の角部近傍に配設された円形鉄片３２ａが位置する。埋込み磁石４と円形鉄片３２ａは磁力によって吸着されている。
【００２３】
図７に示すように、書類５は、ボード１２とシート３１の間隙に収納される。書類を取り出す際は、図７のように、上辺切り欠き部３３ａから見えている書類を指でめくって、そのまま書類を引き出しても良いし、また、図８のように、上辺切り欠き部３３ａに指をかけて、シート３１をめくって、シート３１をボード１２から離して書類収納部３を開口させて書類を取り出しても良い。シート３１は、円形鉄片３２ａによって埋込み磁石４と磁力で吸着しているだけなので、強い力を必要とせず簡単に書類収納部３を開口させることができる。そして、上辺切り欠き部３３ａが設けられていることにより、さらに、指でめくりやすくなっている。取り出したい書類が数枚の場合は、円形鉄片３２ａを埋込磁石４に吸着させたまま、上辺切り欠き部３３ａから直接書類に触れて指で書類を引き出しても良い。手軽で迅速に書類が取り出せる。
【００２４】
書類５を書類収納部３に収納したい場合は、上辺切り欠き部３３ａに指をかけて、シート３１をめくって、シート３１をボード１２から離して書類収納部３を開口させて書類５を収納する。上辺切り欠き部３３ａが設けられていることにより、指でめくりやすい。また、取り出したい書類５が細長い場合は、円形鉄片３２ａを埋込磁石４に吸着させたまま、上辺切り欠き部３３ａから書類５を差し入れて収納しても良い。
【００２５】
（実施の形態２）    
図９は、この考案の実施の形態２にかかる書類収納部つきクリップボード２００の正面図である。図１０は、図９に示した書類収納部付きクリップボード２００の背面図であり、図１１は、図９に示した書類収納部付きクリップボード１００の使用状態を示す参考図である。
【００２６】
図９に示すように、書類収納部つきクリップボード２００の表面は、実施の形態１と同じ形態であり、ボード１２に書類を挟んで挟持するクリップ１１が取付けられている。
【００２７】
図１０に示すように、書類収納部つきクリップボード２００の裏面には、書類収納部３としてシート３１が設けられており、シート３１の両側縁には、目盛りが印字されている。目盛りはミリメートル単位のスケールとなっている。長さを表す数字を、たとえば５ミリメートル毎に印字しても良い。目盛りが印字されている以外は、実施の形態１と同じである。書類収納部３は、略長方形状のシート３１と、磁気吸着部である円形鉄片３２ａからなり、シート３１の下辺及び下辺と隣り合う左右どちらか一方の辺は、ボート１２に接着されており収納部下辺３６及び収納部綴側辺３５となっている。前記二辺とは別の二辺は、ボード１２には接着されておらず、収納部上辺３３，収納部開放側辺３４となっている。シート３１の上縁である収納部上辺は、略長方形状に切り欠きがあり、上辺切り欠き部３３ａが設けられている。
【００２８】
シート３１は透明または半透明のシート状物からできているので、書類収納部３に収納した書類が透けて見えるようになっている。シート３１に目盛りが設けられていることにより、書類収納部３に収納されている書類の寸法が把握できる。また、屋外で、書類収納部付きクリップボード２００を使用している際、屋外設置物等、おおまかな大きさを計測する必要が生じた場合に、手元に定規やメジャーがなくても、本考案の書類収納部付きクリップボード２００を、計測したい物にあてがえば、手軽に寸法計測ができる。ボード１の大きさよりも大きい物の寸法を計測したい場合は、ボード１の位置をずらしながら、繰り返しボード１をあてて計測し、目盛りを読み取って合計して寸法を算出すれば良い。
【００２９】
このように、書類収納部付きクリップボード２００があれば、寸法を計測し、計測したデータをボード上の書類に書き込み、書き込んだ書類は書類首脳部３に収納していく、という一連の流れを、効率良く行うことができる。
【００３０】
（実施の形態３）
次に、本考案の実施の形態３の書類収納部付きクリップボード３００について説明する。図１２は、この考案の実施の形態３にかかる書類収納部付きクリップボード３００の正面図であり、図１３は、図１２に示した書類収納部付きクリップボード３００の背面図である。図１４は、図１２に示した書類収納部付きクリップボード３００の使用状態を示す参考図である。
【００３１】
図１２に示すように、書類収納部つきクリップボード３００は、ボード１２の形状が、実施の形態１及び２の形状よりも横幅が狭い長方形状となっている。飲食店における伝票ホルダーとして、よく使用されている形状である。ボード１２の形状以外は、本実施の形態１及び２と同じであり、ボード１２の表面上方には、書類を挟んで挟持するクリップ１１が取付けられている。
【００３２】
図１３に示すように、書類収納部つきクリップボード３００の裏面には、書類収納部３としてシート３１が設けられている。シート３１も、ボード１２に合わせた形状となっており、実施の形態１及び２のシート３１よりも横幅が狭くなっている。シート３１の上端は、上辺切り欠き部３３ａが設けられている。実施の形態３の上辺切り欠き部３３ａは、略長方形状ではなく、半円形状の切り欠きとなっている。円形状の切り欠きがあることによって、狭い幅のシート３１でも、指をひっかけやすく、シート３１をめくりやすい。
【００３３】
また、本実施の形態３の書類収納部付きクリップボード３００は、ボード１２側に埋込鉄片４１，シート３１側に円形鉄片３２ｂが設けられている。埋込鉄片４１の形状は、円形に限定されることはなく、正方形や長方形、楕円その他でも良く、また、ボード１２を鉄製等、磁石が吸着する素材で形成して埋込鉄片４１を省略しても良い。
【００３４】
図１４に示すように、本実施の形態３の書類収納部付きクリップボード３００の裏面にあるシート３１は、上辺切り欠き部３３ａに指をひっかければ簡単に書類収納部３を開閉することができる。丸く切り取られた上辺切り欠き部３３ａは、指にフィットして、シート３１がめくりやすい。たとえば、飲食店で、店員が注文を取る際に、書類収納部付きクリップボード３００の表面を上にしてクリップ１１に挟持した伝票に記入しつつ、裏面にあるシート３１を片手でさっとめくって書類収納部３を開けて、新しい伝票を取り出す、というような使い方ができる。
【００３５】
このように、書類収納部付きクリップボード３００があれば、ボード１２の表面に書類を載せて記入しつつ、裏面の書類収納部３をもう片方の手で開閉して書類を出し入れするという使い方ができ、様々な場面で、作業を効率よく進めることができ、また、書類５をスマートに収納し持ち運ぶことができる。
【００３６】
本実施の形態では、シート３１を一枚設ける構成としたが、シート３１は、複数設けても良い。シート３１を複数重ねて設けた場合、書類を用途ごとに収納できる。また、大きさの違う複数のシート３１を取り付ければ、書類の大きさ別に整理して収納することもできる。
【００３７】
本実施の形態では、シート３１は、透明または半透明の素材となっているが、シート３１は、不透明の素材を用いても良く、色を付したり、イラストやデザインを施しても良い。
【符号の説明】
【００３８】
１００，２００，３００  書類収納部付きクリップボード
１  クリップボード
１１  クリップ
１２  ボード
１３  裏側留め具
３  書類収納部
３１  シート
３２ａ  円形鉄片
３２ｂ  円形磁石
３３  収納部上辺
３３ａ  上辺切り欠き部
３３ｂ  上辺小切り欠き部
３４  収納部開放側辺
３５  収納部綴側辺
３６  収納部下辺
３７  円形磁石
４  埋込み磁石
４１  埋込鉄片
５  書類
Ｈ  手
【図１】
0003191399.tif 000003
【図２】
0003191399.tif 000004
【図３】
0003191399.tif 000005
【図４】
0003191399.tif 000006
【図５】
0003191399.tif 000007
【図６】
0003191399.tif 000008
【図７】
0003191399.tif 000009
【図８】
0003191399.tif 000010
【図９】
0003191399.tif 000011
【図１０】
0003191399.tif 000012
【図１１】
0003191399.tif 000013
【図１２】
0003191399.tif 000014
【図１３】
0003191399.tif 000015
【図１４】
0003191399.tif 000016